【手続補正書】
【提出日】平成15年12月8日(2003.12.8)
【手続補正１】
【補正対象書類名】明細書
【補正対象項目名】特許請求の範囲
【補正方法】変更
【補正の内容】
【特許請求の範囲】
【請求項１】
着脱可能な読取ユニットによって画像を読取る画像読取手段と、該画像読取手段によって読取られた画像を記録媒体上に印刷出力する画像印刷手段とを有する画像処理装置であって、
前記画像印刷手段で使用される記録剤情報を検出する記録剤検出手段と、
該検出された記録剤情報に応じて、前記画像読取手段によって読取られた画像の前記画像印刷手段への転送を制御する制御手段と、
を有することを特徴とする画像処理装置。
【請求項２】
更に、前記読取ユニットが装着されたことを検出する装着検出手段を有し、
前記制御手段は、前記装着検出手段によって前記読取ユニットの装着が検出された際に、前記画像読取手段によって読取られた画像の転送を制御することを特徴とする請求項１記載の画像処理装置。
【請求項３】
前記記録剤検出手段は、前記画像印刷手段で使用される記録剤の色情報を検出することを特徴とする請求項１又は２記載の画像処理装置。
【請求項４】
前記記録剤検出手段は、前記画像印刷手段に装着された記録剤カートリッジ情報を検出することを特徴とする請求項１乃至３のいずれかに記載の画像処理装置。
【請求項５】
前記記録剤検出手段は、前記画像印刷手段に装着された記録剤カートリッジがカラーカートリッジであるか白黒カートリッジであるかを検出することを特徴とする請求項４記載の画像処理装置。
【請求項６】
前記制御手段は、前記記録剤検出手段によって検出された記録剤情報に応じて、前記画像読取手段からのデータ転送順を制御することを特徴とする請求項１乃至５のいずれかに記載の画像処理装置。
【請求項７】
前記制御手段は、前記画像読取手段に対して前記記録剤検出手段によって検出された記録剤情報に対応した画像データを優先して転送するように制御することを特徴とする請求項６記載の画像処理装置。
【請求項８】
更に、前記画像読取手段におけるデータ転送に応じて、前記画像印刷手段で使用する記録剤の変更を促す報知手段を有することを特徴とする請求項１乃至７のいずれかに記載の画像処理装置。
【請求項９】
前記報知手段は、前記記録剤検出手段によって検出された第１の記録剤に対応した画像データが前記画像印刷手段において印刷された後、第２の記録剤への変更を促すことを特徴とする請求項８記載の画像処理装置。
【請求項１０】
前記制御手段は、前記報知手段による記録剤の変更報知後、前記記録剤検出手段によって前記第２の記録剤が検出されると、該第２の記録剤に対応した画像データを転送するように制御することを特徴とする請求項９記載の画像処理装置。
【請求項１１】
前記第１及び第２の記録剤はそれぞれカラー及び黒記録剤であることを特徴とする請求項９又は１０記載の画像処理装置。
【請求項１２】
前記第１及び第２の記録剤はそれぞれ黒及びカラー記録剤であることを特徴とする請求項９又は１０記載の画像処理装置。
【請求項１３】
前記読取ユニットは、画像データの圧縮及び伸張を行なう圧縮処理手段を有することを特徴とする請求項１乃至１２のいずれかに記載の画像処理装置。
【請求項１４】
前記読取ユニットは、読取った複数の画像データを保持する保持手段を備えることを特徴とする請求項１乃至１３のいずれかに記載の画像処理装置。
【請求項１５】
前記読取ユニットと前記制御手段間においては、ＵＡＲＴによる情報伝達が行われることを特徴とする請求項１乃至１４のいずれかに記載の画像処理装置。
【請求項１６】
更に、電話回線によって接続された他装置と画像データの通信を行なう通信手段を有することを特徴とする請求項１乃至１５のいずれかに記載の画像処理装置。
【請求項１７】
前記読取ユニットはハンドスキャナであることを特徴する請求項１乃至１６のいずれかに記載の画像処理装置。
【請求項１８】
前記画像印刷手段は、インクを吐出して記録を行う記録ヘッドを備えることを特徴とする請求項１乃至１７のいずれかに記載の画像処理装置。
【請求項１９】
前記記録ヘッドは、熱エネルギーを利用してインクを吐出する記録ヘッドであって、インクに与える熱エネルギーを発生するための熱エネルギー変換体を備えていることを特徴とする請求項１８記載の画像処理装置。
【請求項２０】
着脱可能な読取ユニットによって画像を読取る画像読取手段と、該画像読取手段によって読取られて転送された画像を記録媒体上に印刷出力する画像印刷手段とを有する画像処理装置であって、
前記画像読取手段は、
前記画像印刷手段で使用される記録剤情報を検出する記録剤検出手段と、
前記記録剤検出手段によって検出された記録剤情報に応じて、前記画像印刷手段への画像転送を制御する制御手段と、
を有することを特徴とする画像処理装置。
【請求項２１】
前記画像読取手段は更に、前記読取ユニットが装着されたことを検出する装着検出手段を有し、
前記制御手段は、前記装着検出手段によって前記読取ユニットの装着が検出された際に、画像転送を制御することを特徴とする請求項２０記載の画像処理装置。
【請求項２２】
前記記録剤検出手段は、前記画像印刷手段で使用される記録剤の色情報を検出することを特徴とする請求項２０又は２１記載の画像処理装置。
【請求項２３】
前記記録剤検出手段は、前記画像印刷手段に装着された記録剤カートリッジ情報を検出することを特徴とする請求項２０乃至２２のいずれかに記載の画像処理装置。
【請求項２４】
前記記録剤検出手段は、前記画像印刷手段に装着された記録剤カートリッジがカラーカートリッジであるか白黒カートリッジであるかを検出することを特徴とする請求項２３記載の画像処理装置。
【請求項２５】
前記制御手段は、前記記録剤検出手段によって検出された記録剤情報に応じて、前記画像読取手段におけるデータ転送順を制御することを特徴とする請求項２０乃至２４のいずれかに記載の画像処理装置。
【請求項２６】
前記制御手段は、前記画像読取手段に対して前記記録剤検出手段によって検出された記録剤情報に対応した画像データを優先して転送するように制御することを特徴とする請求項２５記載の画像処理装置。
【請求項２７】
更に、前記画像読取手段におけるデータ転送に応じて、前記画像印刷手段で使用する記録剤の変更を促す報知手段を有することを特徴とする請求項２０乃至２６のいずれかに記載の画像処理装置。
【請求項２８】
前記報知手段は、前記記録剤検出手段によって検出された第１の記録剤に対応した画像データが前記画像印刷手段において印刷された後、第２の記録剤への変更を促すことを特徴とする請求項２７記載の画像処理装置。
【請求項２９】
前記制御手段は、前記報知手段による記録剤の変更報知後、前記記録剤検出手段によって前記第２の記録剤が検出されると、該第２の記録剤に対応した画像データを転送するように制御することを特徴とする請求項２８記載の画像処理装置。
【請求項３０】
前記第１及び第２の記録剤はそれぞれカラー及び黒記録剤であることを特徴とする請求項２８又は２９記載の画像処理装置。
【請求項３１】
前記第１及び第２の記録剤はそれぞれ黒及びカラー記録剤であることを特徴とする請求項２８又は２９記載の画像処理装置。
【請求項３２】
前記画像読取手段は、前記読取ユニット内に、画像データの圧縮及び伸張を行なう圧縮処理手段を有することを特徴とする請求項２０乃至３１のいずれかに記載の画像処理装置。
【請求項３３】
前記読取ユニットは、読取った複数の画像データを保持する保持手段を備えることを特徴とする請求項２０乃至３２のいずれかに記載の画像処理装置。
【請求項３４】
前記制御手段と前記画像印刷手段間においては、ＵＡＲＴによる情報伝達が行われることを特徴とする請求項２０乃至３３のいずれかに記載の画像処理装置。
【請求項３５】
更に、電話回線によって接続された他装置と画像データの通信を行なう通信手段を有することを特徴とする請求項２０乃至３４のいずれかに記載の画像処理装置。
【請求項３６】
前記画像読取手段はハンドスキャナであることを特徴する請求項２０乃至３５のいずれかに記載の画像処理装置。
【請求項３７】
前記画像印刷手段は、インクを吐出して記録を行う記録ヘッドを備えることを特徴とする請求項２０乃至３６のいずれかに記載の画像処理装置。
【請求項３８】
前記記録ヘッドは、熱エネルギーを利用してインクを吐出する記録ヘッドであって、インクに与える熱エネルギーを発生するための熱エネルギー変換体を備えていることを特徴とする請求項３７記載の画像処理装置。
【請求項３９】
着脱可能な読取ユニットによって画像を読取る画像読取手段と、該画像読取手段によって読取られた画像を記録媒体上に印刷出力する画像印刷手段とを有する画像処理装置における画像処理方法であって、
前記画像印刷手段で使用される記録剤情報を検出し、
該検出された記録剤情報に応じて、前記画像読取手段によって読取られた画像の前記画像印刷手段への転送を制御することを特徴とする画像処理方法。
【請求項４０】
着脱可能な読取ユニットによって画像を読取る画像読取手段と、該画像読取手段によって読取られた画像を記録媒体上に印刷出力する画像印刷手段とを有する画像処理装置における画像処理のプログラムコードが記録された記録媒体であって、
該プログラムコードは、
前記画像印刷手段で使用される記録剤情報を検出するためのコードと、
該検出された記録剤情報に応じて、前記画像読取手段によって読取られた画像の前記画像印刷手段への転送を制御するためのコードと、
を含むことを特徴とする記録媒体。